(57)【特許請求の範囲】
【請求項１】
天面部と、底面部と、正面部と、背面部と、及び左右一対の側面部とにより区画され、内部に家庭用薄葉紙を収納して、前記天面部及び／又は前記正面部に設けられた開口部から前記家庭用薄葉紙を取り出す家庭用薄葉紙収納箱において、
前記天面部の両側縁から各々延出された一対の天面側フラップと、
前記底面部の両側縁から各々延出された一対の底面側フラップと、
前記正面部の両側縁から各々延出された一対の正面側フラップと、
前記背面部の両側縁から各々延出された一対の背面側フラップと、
を備え、
初期状態では、前記正面側フラップと前記背面側フラップとが互いに近づく方向に折り曲げられ、前記正面側フラップと前記背面側フラップの外面側に前記天面側フラップと前記底面側フラップとが重なるように折り曲げられ、互いに糊付けされることによって、前記側面部が形成され、
内部の家庭用薄葉紙を詰め替え時には、前記側面部の糊付け部分が剥がされることで、前記側面部が開口され、前記正面側フラップと前記背面側フラップとが互いに近づく方向に折り曲げられ、前記正面側フラップと前記背面側フラップの外面側に前記天面側フラップと前記底面側フラップとが重なるように折り曲げられ、４つのフラップ同士が係合部により互いに係合されることによって前記側面部が再封され、
前記係合部は、
前記一対の天面側フラップの各々先端部から内側に切り込まれた２つの切込みにより形成された正面側係合片と、中側係合片と、背面側係合片とを備え、
折り曲げられた状態の前記正面側フラップと前記背面側フラップとは、所定の隙間を有しており、
前記中側係合片の基端部の切込みの間隔は、前記所定の隙間よりも短く、前記中側係合片の基端部から先端部までの間に切込みの間隔が前記所定の隙間よりも長い部分が設けられ、
前記正面側フラップと前記背面側フラップとが互いに近づく方向に折り曲げられ、前記正面側フラップと前記背面側フラップの外面側に、前記天面側フラップと前記底面側フラップとが、前記天面側フラップが外面側となるように重ねて折り曲げられ、
この状態で前記天面側フラップの前記中側係合片が押圧されることで、前記中側係合片が前記正面側フラップと前記背面側フラップの内面側に位置し、前記正面側フラップと前記背面側フラップと前記底面側フラップが、前記中側係合片と前記正面側係合片及び前記背面側係合片とで挟まれて係合されることを特徴とする家庭用薄葉紙収納箱。
【請求項２】
請求項１に記載の家庭用薄葉紙収納箱において、
前記底面側フラップの先端部から内側に２つの切込みにより形成された切込み片が設けられ、前記切り込み片は、前記所定の隙間に対向して設けられ、且つ前記切り込み片の幅は、前記所定の隙間よりも短いことを特徴とする家庭用薄葉紙収納箱。
【請求項３】
請求項２に記載の家庭用薄葉紙収納箱において、
前記中側係合片は、先端側から基端側にかけて、第２の幅から徐々に幅狭となって第１の幅になる幅変化部と、第１の幅になってからは基端側にかけて一定の距離だけ第１の幅を維持して構成される等幅部と、
を備え、
前記第１の幅は、前記中側係合片における最短部分の幅であり、前記切込み片の幅と同一であり、かつ、前記所定の隙間よりも短く、
前記第２の幅は、前記中側係合片における最長部分の幅であり、前記切込み片の幅及び前記所定の隙間よりも長いことを特徴とする家庭用薄葉紙収納箱。
【請求項４】
請求項２に記載の家庭用薄葉紙収納箱において、
前記中側係合片は、先端側から基端側にかけて、第１の幅から徐々に幅広となって第２の幅になるとともに、第２の幅から徐々に幅狭となって再び第１の幅になる幅変化部と、
前記第１の幅となってからは基端側にかけて一定の距離だけ第１の幅を維持して構成される等幅部と、
を備え、
前記第１の幅は、前記中側係合片における最短部分の幅であり、前記切込み片の幅と同一であり、かつ、前記所定の隙間よりも短く、
前記第２の幅は、前記中側係合片における最長部分の幅であり、前記切込み片の幅及び前記所定の隙間よりも長いことを特徴とする家庭用薄葉紙収納箱。
【請求項５】
請求項１〜４の何れか一項に記載の家庭用薄葉紙収納箱において、
前記正面側フラップと前記背面側フラップの先端部の形状が直線状であることを特徴とする家庭用薄葉紙収納箱。
【請求項６】
請求項１〜５の何れか一項に記載の家庭用薄葉紙収納箱において、
前記天面側フラップの先端部の形状が直線状であることを特徴とする家庭用薄葉紙収納箱。
【請求項７】
請求項１〜６の何れか一項に記載の家庭用薄葉紙収納箱における家庭用薄葉紙の詰め替え方法であって、
前記側面部を開口させて、家庭用薄葉紙を収納空間内に装填するステップと、
前記正面側フラップと前記背面側フラップとを互いに近づく方向に折り曲げるとともに、前記正面側フラップと前記背面側フラップの外面側に、前記天面側フラップと前記底面側フラップを、前記天面側フラップが外面側となるように重ねて折り曲げるステップと、
前記天面側フラップの前記中側係合片を押圧することで、前記中側係合片を前記正面側フラップと前記背面側フラップの内面側に位置させ、前記正面側フラップと前記背面側フラップと前記底面側フラップを、前記中側係合片と前記正面側係合片及び前記背面側係合片とで挟んで係合するステップと、
を有することを特徴とする家庭用薄葉紙収納箱における家庭用薄葉紙の詰め替え方法。
【発明の詳細な説明】
【技術分野】
【０００１】
本発明は、家庭用薄葉紙収納箱及び家庭用薄葉紙収納箱における家庭用薄葉紙の詰め替え方法に関する。
【背景技術】
【０００２】
従来、積層され、或いはロール状に巻回された家庭用薄葉紙を内部に収容し、上面部などに設けられた開口部から内部に収容された家庭用薄葉紙を取り出して使用する家庭用薄葉紙収納箱が知られている。
このような家庭用薄葉紙収納箱として、例えば、特許文献１には、衛生用紙の束を収納し得る内部空間が形成された箱状をなす衛生用紙収納用カートンにおいて、上面、底面、及び一対の側面のそれぞれの端縁から延出された４つのロック式フラップを備え、その４つのロック式フラップが内側に折り曲げられ、重なり合う状態で係合されることによって妻面が形成される衛生用紙収納用カートンが記載されている。
また、特許文献２には、略立方形に形成された収納箱本体において、上面の開口縁部に、その一側部に延長突片が延設された２つの被係合片と、その上部両側部に係合凹部が形成された１つの係合片と、蓋体と、を延設し、２つの被係合片及び係合片間に形成される取出し口を蓋装することができるように構成された衛生用紙の組立式収納箱が記載されている。
【先行技術文献】
【特許文献】
【０００３】
【特許文献１】特開２００８−１２７０６５号公報
【特許文献２】特開２００９−１７３２９３号公報
【発明の概要】
【発明が解決しようとする課題】
【０００４】
しかしながら、特許文献１に記載の衛生用紙収納用カートンは、側面（妻面）を形成する内フラップと外フラップの形状が複雑で、内部に収容された家庭用薄葉紙を詰め替えようとすると組み立て（再封）しにくく、詰め替え時の作業が煩雑となっていた。
具体的に、特許文献１に記載の衛生用紙収納用カートンは、４つのロック式フラップの少なくとも１つが、その先端部に係合用の突出片を有し、かかる突出片が他のロック式フラップの裏側に挿入される構成である。即ち、少なくとも１つのロック式フラップの先端部は突出片を有する複雑な形状であり、組み立てるには、４つのロック式フラップを折り曲げて重ねた状態で突出片を指でつまんで他のロック式フラップの裏側の所定の位置に挿入させるものであるため、係合しにくいものであった。
また、特許文献２の衛生用紙の組立式収納箱も、被係合片に延長突片が延設され、係合片に係合凹部が延設された構成であるため、形状が複雑で組み立て（再封）しにくく、詰め替え時の作業が煩雑となっていた。
具体的に、特許文献２に記載の衛生用紙の組立式収納箱は、係合片を被係合片に重ねた状態で係合片を押圧して被係合片の内面まで押込む構成である。即ち、被係合片と係合片は、それぞれ延長突片と係合凹部を有する複雑な形状であり、組み立てるには、係合片及び被係合片の全体が同時に押込まれることとなるため、係合しにくいものであった。
【０００５】
本発明の課題は、係合部が簡易な構成で且つ組み立てが容易な家庭用薄葉紙収納箱及び家庭用薄葉紙収納箱における家庭用薄葉紙の詰め替え方法を提供することである。
また、更なる課題は、上記家庭用薄葉紙収納箱及び家庭用薄葉紙収納箱における家庭用薄葉紙の詰め替え方法を、比較的低コストで実現することである。
【課題を解決するための手段】
【０００６】
上記課題を解決するため、請求項１に記載の発明は、
天面部と、底面部と、正面部と、背面部と、及び左右一対の側面部とにより区画され、内部に家庭用薄葉紙を収納して、前記天面部及び／又は前記正面部に設けられた開口部から前記家庭用薄葉紙を取り出す家庭用薄葉紙収納箱において、
前記天面部の両側縁から各々延出された一対の天面側フラップと、
前記底面部の両側縁から各々延出された一対の底面側フラップと、
前記正面部の両側縁から各々延出された一対の正面側フラップと、
前記背面部の両側縁から各々延出された一対の背面側フラップと、
を備え、
初期状態では、前記正面側フラップと前記背面側フラップとが互いに近づく方向に折り曲げられ、前記正面側フラップと前記背面側フラップの外面側に前記天面側フラップと前記底面側フラップとが重なるように折り曲げられ、互いに糊付けされることによって、前記側面部が形成され、
内部の家庭用薄葉紙を詰め替え時には、前記側面部の糊付け部分が剥がされることで、前記側面部が開口され、前記正面側フラップと前記背面側フラップとが互いに近づく方向に折り曲げられ、前記正面側フラップと前記背面側フラップの外面側に前記天面側フラップと前記底面側フラップとが重なるように折り曲げられ、４つのフラップ同士が係合部により互いに係合されることによって前記側面部が再封され、
前記係合部は、
前記一対の天面側フラップの各々先端部から内側に切り込まれた２つの切込みにより形成された正面側係合片と、中側係合片と、背面側係合片とを備え、
折り曲げられた状態の前記正面側フラップと前記背面側フラップとは、所定の隙間を有しており、
前記中側係合片の基端部の切込みの間隔は、前記所定の隙間よりも短く、前記中側係合片の基端部から先端部までの間に切込みの間隔が前記所定の隙間よりも長い部分が設けられ、
前記正面側フラップと前記背面側フラップとが互いに近づく方向に折り曲げられ、前記正面側フラップと前記背面側フラップの外面側に、前記天面側フラップと前記底面側フラップとが、前記天面側フラップが外面側となるように重ねて折り曲げられ、
この状態で前記天面側フラップの前記中側係合片が押圧されることで、前記中側係合片が前記正面側フラップと前記背面側フラップの内面側に位置し、前記正面側フラップと前記背面側フラップと前記底面側フラップが、前記中側係合片と前記正面側係合片及び前記背面側係合片とで挟まれて係合されることを特徴とする。
【０００７】
また、請求項２に記載の発明は、
請求項１に記載の家庭用薄葉紙収納箱において、
前記底面側フラップの先端部から内側に２つの切込みにより形成された切込み片が設けられ、前記切り込み片は、前記所定の隙間に対向して設けられ、且つ前記切り込み片の幅は、前記所定の隙間よりも短いことを特徴とする。
【０００８】
また、請求項３に記載の発明は、
請求項２に記載の家庭用薄葉紙収納箱において、
前記中側係合片は、先端側から基端側にかけて、第２の幅から徐々に幅狭となって第１の幅になる幅変化部と、第１の幅になってからは基端側にかけて一定の距離だけ第１の幅を維持して構成される等幅部と、
を備え、
前記第１の幅は、前記中側係合片における最短部分の幅であり、前記切込み片の幅と同一であり、かつ、前記所定の隙間よりも短く、
前記第２の幅は、前記中側係合片における最長部分の幅であり、前記切込み片の幅及び前記所定の隙間よりも長いことを特徴とする。
【０００９】
また、請求項４に記載の発明は、
請求項２に記載の家庭用薄葉紙収納箱において、
前記中側係合片は、先端側から基端側にかけて、第１の幅から徐々に幅広となって第２の幅になるとともに、第２の幅から徐々に幅狭となって再び第１の幅になる幅変化部と、
前記第１の幅となってからは基端側にかけて一定の距離だけ第１の幅を維持して構成される等幅部と、
を備え、
前記第１の幅は、前記中側係合片における最短部分の幅であり、前記切込み片の幅と同一であり、かつ、前記所定の隙間よりも短く、
前記第２の幅は、前記中側係合片における最長部分の幅であり、前記切込み片の幅及び前記所定の隙間よりも長いことを特徴とする。
【００１０】
また、請求項５に記載の発明は、
請求項１〜４の何れか一項に記載の家庭用薄葉紙収納箱において、
前記正面側フラップと前記背面側フラップの先端部の形状が直線状であることを特徴とする。
【００１１】
また、請求項６に記載の発明は、
請求項１〜５の何れか一項に記載の家庭用薄葉紙収納箱において、
前記天面側フラップの先端部の形状が直線状であることを特徴とする。
【００１２】
また、請求項７に記載の発明は、
請求項１〜６の何れか一項に記載の家庭用薄葉紙収納箱における家庭用薄葉紙の詰め替え方法であって、
前記側面部を開口させて、家庭用薄葉紙を収納空間内に装填するステップと、
前記正面側フラップと前記背面側フラップとを互いに近づく方向に折り曲げるとともに、前記正面側フラップと前記背面側フラップの外面側に、前記天面側フラップと前記底面側フラップを、前記天面側フラップが外面側となるように重ねて折り曲げるステップと、
前記天面側フラップの前記中側係合片を押圧することで、前記中側係合片を前記正面側フラップと前記背面側フラップの内面側に位置させ、前記正面側フラップと前記背面側フラップと前記底面側フラップを、前記中側係合片と前記正面側係合片及び前記背面側係合片とで挟んで係合するステップと、
を有することを特徴とする。
【発明の効果】
【００１３】
請求項１記載の発明によれば、初期状態では、正面側フラップと背面側フラップとが互いに近づく方向に折り曲げられ、正面側フラップと背面側フラップの外面側に天面側フラップと底面側フラップとが重なるように折り曲げられ、互いに糊付けされることによって、側面部が形成される。
よって、側面部の強度を高めることができることとなって、当該家庭用薄葉紙の輸送時、陳列時などに側面部に外部から強い力が加えられた場合に、内部から家庭用薄葉紙が出てきてしまうことを防止できる。
一方、内部の家庭用薄葉紙を詰め替え時には、請求項１の発明と同様に、係合部は簡易な構成であり、且つ組み立てが容易である。
【００１４】
請求項２記載の発明によれば、底面側フラップに切込み片が設けられているため、４つのフラップを係合させるのに中側係合片を押し込んだ場合、当該切込み片が内側に折れ曲がるためより係合が容易となる。即ち、中側係合片を押し込んだ場合、底面側フラップの全体が押込まれることがなくなるため、より係合が容易となる。
【００１５】
請求項３及び４記載の発明によれば、側面部の押圧時において、天面側フラップと底面側フラップとの間の抵抗を少なくすることができ、よりスムーズに押圧することができる。また、スムーズに押圧できることにより、容易に４つのフラップを係合させることができる。
【００１６】
請求項５記載の発明によれば、正面側フラップと背面側フラップの先端部の形状が直線状である。よって、正面側フラップ及び背面側フラップの先端部に特別な形状加工を行う必要がなく、製造が容易である。
また、正面側フラップと背面側フラップの先端部の形状が直線状であるため、家庭用薄葉紙収納箱として一般的な箱体に切込みをいれるのみで係合部を形成することができることとなる。このため、比較的低コストで当該家庭用薄葉紙収納箱を製造することができる。
【００１７】
請求項６記載の発明によれば、天面側フラップの先端部の形状が直線状である。よって、天面側フラップの先端部に特別な形状加工を行う必要がなく、製造が容易である。
また、天面側フラップの先端部の形状が直線状であるため、家庭用薄葉紙収納箱として一般的な箱体に切込みをいれるのみで係合部を形成することができることとなる。このため、比較的低コストで当該家庭用薄葉紙収納箱を製造することができる。
【００１８】
請求項７記載の発明によれば、側面部を開口させて、家庭用薄葉紙を収納空間内に装填し、正面側フラップと背面側フラップとを互いに近づく方向に折り曲げるとともに、正面側フラップと背面側フラップの外面側に、天面側フラップと底面側フラップを、天面側フラップが外面側となるように重ねて折り曲げ、天面側フラップの中側係合片を押圧することで、中側係合片を正面側フラップと背面側フラップの内面側に位置させ、正面側フラップと背面側フラップと底面側フラップを、中側係合片と正面側係合片及び背面側係合片とで挟んで係合する。
よって、押し込むだけで係合が成されるので、係合部が簡易な構成であり且つ組み立てが容易である。このため、家庭用薄葉紙の詰め替え作業を容易に行うことができる。
【図面の簡単な説明】
【００１９】
【図１】本実施形態のロール状シート収納箱の一例を示す斜視図である。
【図２】図１のロール状シート収納箱を展開した展開図である。
【図３】図１のロール状シート収納箱の側面図である。
【図４】図１のロール状シート収納箱におけるロール状シートの詰め替え工程を説明するための説明図である。
【図５】天面側フラップの中側係合片と、底面側フラップの切込み片との係合を説明するための断面模式図である。
【図６】ロール状シート収納箱の家庭用薄葉紙の詰め替え方法を示すフローチャートである。
【図７】中側係合片の変形例を示すロール状シート収納箱の側面図である。
【図８】中側係合片の好ましい変形例を示す図である。
【図９】中側係合片の好ましい変形例を示す図である。
【発明を実施するための形態】
【００２０】
以下、図を参照して、本発明の実施の形態を詳細に説明する。ただし、発明の範囲は、図示例に限定されない。
本実施形態では、家庭用薄葉紙収納箱として、ロール状シート収納箱を例示して説明を行う。
なお、以下の説明では、ロール状シート収納箱の厚み方向を上下方向とし、ロール状シート収納箱の長辺方向を左右方向、上下方向及び左右方向の双方に直交する方向を前後方向とする。
【００２１】
本実施形態のロール状シート収納箱１０は、例えば、図１〜４に示すように、天面部１、底面部２、正面部３、背面部４、及び左右一対の側面部５（５ａ、５ｂ）により区画された箱体である。このロール状シート収納箱１０の内部には、ロール状シート２０が収納され、天面部１から正面部３に亘って形成された取出口６（開口部）からロール状シート２０を外部へ引き出して使用するようになっている。
ここで、「箱体」とは、ロール状シート２０を収納し得る内部空間が形成される形状のものであり、例えば、直方体状、立方体状等の六面体状のものを挙げることができる。例えば、図１は、ロール状シート収納箱１０を直方体状に構成した例である。
六面体の形状では、天面部１と底面部２、正面部３と背面部４、左右一対の側面部５（５ａ、５ｂ）、がそれぞれ対向するように平行に配置される。なお、これらの形状において、二つの面の稜線部分を面取りしたもの等も「箱体」に含まれることとする。
また、「ロール状シート」とは、長尺な家庭用薄葉紙を芯（図示省略）の周囲に巻回されたものであるが、その種類について特に制限はなく、例えば、ペーパータオル（キッチンペーパー等）、トイレットペーパー、ティシュペーパー（顔ふき紙、化粧紙等と呼ばれるもの）、等の使い捨て紙等を挙げることができる。
かかるロール状シートには、所定間隔毎にミシン目（図示省略）が設けられており、取出口６から引き出して使用する際に所要の長さで切り離すことができるようになっている。
【００２２】
天面部１、底面部２、正面部３、背面部４の両側縁からは、図２に示すように、それぞれ、一対の天面側フラップ１１，１２、一対の底面側フラップ２１，２２、一対の正面側フラップ３１，３２、一対の背面側フラップ４１，４２、が延出している。これらのフラップは、それぞれ、天面部１、底面部２、正面部３、背面部４との接続部（境界線）において内側に折り曲げられ、重なり合った状態で互いに係合されて側面部５ａ，５ｂが形成されるようになっている。
即ち、側面部５ａは、天面側フラップ１１、底面側フラップ２１、正面側フラップ３１、背面側フラップ４１の４つのフラップを決められた手順で重なり合うように折り曲げて係合させることによって形成される。同様に、側面部５ｂは、天面側フラップ１２、底面側フラップ２２、正面側フラップ３２、背面側フラップ４２の４つのフラップを決められた手順で重なり合うように折り曲げて係合させることによって形成される。
【００２３】
そして、本実施形態のロール状シート収納箱１０は、初期状態では、正面側フラップ３１，３２と背面側フラップ４１，４２とが互いに近づく方向に折り曲げられ、正面側フラップ３１，３２と背面側フラップ４１，４２の外面側に底面側フラップ２１，２２と天面側フラップ１１，１２とが重なるように折り曲げられ、互いに糊付けされることによって、側面部５ａ，５ｂが形成されるようになっている。
ここで、初期状態とは、ロール状シート収納箱１０の製造時からロール状シート２０の詰め替えを行うための側面部５ａ、５ｂの糊付けを剥がす前までをいうものとする。
また、内部のロール状シート２０の詰め替え時には、側面部５ａ，５ｂの何れか一方（例えば、側面部５ａ）の糊付け部分が剥がされることで、側面部５ａが開口される。そして、ロール状シート２０の詰め替え後、正面側フラップ３１と背面側フラップ４１とが互いに近づく方向に折り曲げられ、正面側フラップ３１と背面側フラップ４１の外面側に底面側フラップ２１と天面側フラップ１１とが重なるように折り曲げられ、４つのフラップ同士が係合部３０により互いに係合されることによって側面部５ａが再封されるようになっている。
【００２４】
以下、係合部３０の構成を説明するにあたって、側面部５ａ（天面側フラップ１１、底面側フラップ２１、正面側フラップ３１、背面側フラップ４１）の構成を用いて詳細に説明する。
【００２５】
天面側フラップ１１と、底面側フラップ２１とは、互いに略同一な長方形状であり、天面側フラップ１１と、底面側フラップ２１とを互いの先端部が近づくように折り曲げた際、その先端部が重なる長さに形成されている。
【００２６】
天面側フラップ１１には、その先端部から基端側に切り込まれた２つの切込み７，７が形成され、これにより、天面側フラップ１１は、正面側係合片１１Ａと、中側係合片１１Ｂと、背面側係合片１１Ｃとを備えるようになっている。
また、図３に示すように、中側係合片１１Ｂの基端部の切込みの間隔Ｘ１は、正面側フラップ３１と背面側フラップ４１とが互いに近づく方向に折り曲げられた際に有する隙間Ｌよりも短く、また、中側係合片１１Ｂの先端部近傍の切込みの間隔Ｘ２は、隙間Ｌよりも長くなっている。
このように中側係合片１１Ｂは先端部にいくにつれて幅広となっており、このため側面部５ａを形成する際に、中側係合片１１Ｂの外面に正面側フラップ３１と背面側フラップ４１とが重なって係合されるようになっている。
即ち、側面部５ａにおいては、２つの切込み７，７により形成された正面側係合片１１Ａと、中側係合片１１Ｂと、背面側係合片１１Ｃと、等により、係合部３０が構成されるようになっている。
【００２７】
底面側フラップ２１にも、先端部から内側に切り込まれた２つの切込み８，８が形成され、これにより、底面側フラップ２１は、切込み片２１Ａを備えるようになっている。
切込み片２１Ａは、基端部から先端部に亘って同一幅で、且つ隙間Ｌよりも短い間隔（間隔Ｘ３）となるように形成されている。
この切込み片２１Ａは、側面部５ａを形成する際に、正面側フラップ３１と背面側フラップ４１と、により形成される隙間に対向する位置に設けられており、側面部５ａを形成するのに押込んだ際に、中側係合片１１Ｂの裏側（内面側）に入り込むようになっている。
また、正面側係合片１１Ａと背面側係合片１１Ｃの内面に底面側フラップ２１が係合されるようになっている。
【００２８】
また、正面側フラップ３１と、背面側フラップ４１とは、互いに略同一な四角形状である。
正面側フラップ３１と、背面側フラップ４１とは、互いに先端部が近づくように折り曲げられた状態において、その先端部同士が所定の隙間Ｌを有する大きさに形成されている。つまり、正面側フラップ３１と背面側フラップ４１とは、隙間Ｌを挟んで、直線状の先端部を互いに対向させた状態で折り曲げられている。
【００２９】
なお、側面部５ｂにおいては、天面側フラップ１２が、天面側フラップ１１と同様に２つの切込み７，７により形成された正面側係合片１２Ａと、中側係合片１２Ｂと、背面側係合片１２Ｃと、等を備え、これにより、係合部３０が構成されるようになっている。
また、底面側フラップ２２も、底面側フラップ２１と同様の２つの切込み８，８が形成され、これにより、切込み片２２Ａを備えるようになっている。
【００３０】
天面部１から正面部３に亘っては、取出口６の外周形状と一致するように形成された取出口形成用の切り込み線６１が設けられている。使用者は、この切り込み線６１を破断することによって取出口６を形成することができ、その取出口６からロール状シート２０を取り出すことが可能となる。
取出口６は、図１に示すように、正面部３において上方向に向かって中央が凸となった、左右方向に長尺な形状に形成されている。
具体的に、取出口６の寸法は、例えば、左右方向の最も広い部分が２０３ｍｍ、狭い部分が１７５ｍｍの長さに形成されている。また、このような寸法の取出口６を備えたロール状シート収納箱１０に収納されるロール状シート２０の寸法は、例えば、左右方向の長さが２２８ｍｍ、ロール径が１０８ｍｍ、紙管径４５ｍｍである。
取出口６の左右方向の最も広い部分を２０３ｍｍより大きくすると上記のロール状シート２０が取出口６から外部に外れてしまう可能性があり、取出口６の左右方向の最も狭い部分を１７５ｍｍ未満とすると、ロール状シート２０の取出し時に不便を感じる可能性がある。
なお、取出口６の外周形状についてこれに限定されるものではなく、ロール状シート２０の形状に応じて適宜選択すればよい。但し、ロール状シート収納箱１０として直方体状のものの場合、その取出口６の形状はロール状シート収納箱１０の長手方向に沿った横長形状とすることが好ましい。従って、取出口６の外周形状としては、例えば、略長方形状、略長円形状、長楕円形状、菱形状、又は多角形状等の形状を挙げることができる。
また、本実施形態においては、天面部１から正面部３に亘って取出口６が形成された構成を例示して説明しているが、取出口６の位置はこれに限定されず、例えば、天面部１又は正面部３に形成することとしても良い。
【００３１】
また、本実施形態のロール状シート収納箱１０を構成する材質について特に制限はないが、箱体を折り曲げ形成する都合上、厚紙等の紙材料を構成材料とすることが好ましい。一般に、これらの紙材料としては、例えば、木材パルプ、古紙等を原料として製造されたものを好適に用いることができる。
【００３２】
ロール状シート収納箱１０におけるロール状シート２０の詰め替え方法について説明する。
かかる詰め替え方法は、図６に示すように、ロール状シート収納箱１０の内部にロール状シート２０を装填する装填ステップＳ１と、４つのフラップを重ねて折り曲げる折り曲げステップＳ２と、４つのフラップを係合させる係合ステップＳ３と、を有している。
【００３３】
装填ステップＳ１は、一方の側面部（ここでは５ａ）を開口させて、ロール状シート２０を収納空間内に装填するステップである。
具体的に、先ず、ロール状シート収納箱１０は、初期状態では、正面側フラップ３１，３２と背面側フラップ４１，４２とが互いに近づく方向に折り曲げられ、正面側フラップ３１，３２と背面側フラップ４１，４２の外面側に底面側フラップ２１，２２と天面側フラップ１１，１２とが重なるように折り曲げられ、互いに糊付けされることによって、側面部５ａ，５ｂが形成されて、箱体が形成されている。
そして、ロール状シート２０の詰め替え時には、図４（ａ）に示すように、装填ステップＳ１として、側面部の一方（ここでは５ａ）の糊付け部分を剥がし、４つのフラップ（天面側フラップ１１、底面側フラップ２１、正面側フラップ３１、背面側フラップ４１）の係合を解除して、開放された側面部５ａから新たなロール状シート２０が補填される。
【００３４】
折り曲げステップＳ２は、正面側フラップ３１と背面側フラップ４１とを互いに近づく方向に折り曲げるとともに、正面側フラップ３１と背面側フラップ４１の外面側に、天面側フラップ１１と底面側フラップ２１とを、天面側フラップ１１が外面側となるように重ねて折り曲げるステップである。
具体的には、図４（ｂ）に示すように、正面側フラップ３１及び背面側フラップ４１を内側に折り曲げ、その上から底面側フラップ２１を内側に折り曲げ、更にその上から天面側フラップ１１を折り曲げる。
【００３５】
係合ステップＳ３は、天面側フラップ１１の中側係合片１１Ｂを押圧することで、中側係合片１１Ｂを正面側フラップ３１と背面側フラップ４１の内面側に位置させ、正面側フラップ３１と背面側フラップ４１と底面側フラップ２１を、中側係合片１１Ｂと正面側係合片１１Ａ及び背面側係合片１１Ｃとで挟んで係合するステップである。
具体的には、図４（ｃ）に示すように、４つのフラップ重なり合った部位（５ａの中央部）を、ロール状シート収納箱１０の内側に押し込むことによって４つのフラップ（天面側フラップ１１、底面側フラップ２１、正面側フラップ３１、背面側フラップ４１）を係合させる。
この際、押圧を掛ける前には、図５（ａ）に示すように、切込み片２１Ａの前面に中側係合片１１Ｂが位置しているが、押圧を掛けることによって、図５（ｂ）に示すように、中側係合片１１Ｂ及び切込み片２１Ａが内側に向かって撓み、最終的に、図５（ｃ）に示すように、切込み片２１Ａの後面に中側係合片１１Ｂが位置することとなる。
これにより、図４（ｄ）に示すように、中側係合片１１Ｂの外面に正面側フラップ３１と背面側フラップ４１が係合され、正面側フラップ３１と背面側フラップ４１の外面に重なるように底面側フラップ２１が重ねられ、正面側係合片１１Ａと背面側係合片１１Ｃの内面に底面側フラップ２１が係合される。即ち、図１や図３に示すような側面部５ａが形成される。
【００３６】
以上のように、本実施形態のロール状シート収納箱１０によれば、係合部３０は、天面側フラップ１１に切り込み７，７を入れるだけで形成されるので、簡易な構成となる。
また、中側係合片１１Ｂの外面に正面側フラップ３１と背面側フラップ４１が係合され、正面側フラップ３１と背面側フラップ４１の外面に重なるように底面側フラップ２１が重ねられ、正面側係合片１１Ａと背面側係合片１１Ｃの内面に底面側フラップ２１が係合されるので、正面側フラップ３１と背面側フラップ４１とを互いに近づく方向に折り曲げるとともに、正面側フラップ３１と背面側フラップ４１の外面側に、天面側フラップ１１と底面側フラップ２１を、天面側フラップ１１が外面側となるように重ねて折り曲げ、天面側フラップ１１の中側係合片１１Ｂを押圧することで、中側係合片１１Ｂを正面側フラップ３１と背面側フラップ４１の内面側に位置させ、正面側フラップ３１と背面側フラップ４１と底面側フラップ２１を、中側係合片１１Ｂと正面側係合片１１Ａ及び背面側係合片１１Ｃとで挟んで係合させることができることなって、組み立てが容易である。
また、天面側フラップ１１に２つの切込み７，７をいれるのみで正面側係合片１１Ａと、中側係合片１１Ｂと、背面側係合片１１Ｃとが形成されるため、天面側フラップ１１に特殊な形状を加工するための設備等が必要なく、比較的低コストでロール状シート収納箱１０を製造することができる。
【００３７】
また、本実施形態のロール状シート収納箱１０によれば、初期状態では、正面側フラップ３１と背面側フラップ４１とが互いに近づく方向に折り曲げられ、正面側フラップ３１と背面側フラップ４１の外面側に天面側フラップ１１と底面側フラップ２１とが重なるように折り曲げられ、互いに糊付けされることによって、側面部５ａが形成される。
よって、側面部５ａの強度を高めることができることとなって、ロール状シート２０の輸送時、陳列時などに側面部５ａに外部から強い力が加えられた場合に、内部からロール状シート２０が出てきてしまうことを防止できる。
一方、内部のロール状シート２０を詰め替え時には、上記したように、係合部３０は簡易な構成であり、且つ組み立てが容易である。
【００３８】
また、本実施形態のロール状シート収納箱１０によれば、底面側フラップ２１に切込み片２１Ａが設けられているため、４つのフラップを係合させるのに中側係合片１１Ｂ押し込んだ場合、当該切込み片２１Ａが内側に折れ曲がることでより係合が容易となる。
即ち、中側係合片１１Ｂを押し込んだ場合、底面側フラップ２１の全体が押込まれることがなくなるため、より係合が容易となる。
【００３９】
また、本実施形態のロール状シート収納箱１０によれば、正面側フラップ３１と背面側フラップ４１の先端部の形状が直線状である。よって、正面側フラップ３１及び背面側フラップ４１の先端部に特別な形状加工を行う必要がなく、製造が容易である。
また、正面側フラップ３１と背面側フラップ４１の先端部の形状が直線状であるため、ロール状シート収納箱１０として一般的な箱体に切込みをいれるのみで係合部３０を形成することができることとなる。このため、比較的低コストでロール状シート収納箱１０を製造することができる。
【００４０】
また、本実施形態のロール状シート収納箱１０によれば、天面側フラップ１１の先端部の形状が直線状である。よって、天面側フラップ１１の先端部に特別な形状加工を行う必要がなく、製造が容易である。
また、天面側フラップ１１の先端部の形状が直線状であるため、ロール状シート収納箱１０として一般的な箱体に切込みをいれるのみで係合部３０を形成することができることとなる。このため、比較的低コストでロール状シート収納箱１０を製造することができる。
【００４１】
また、本実施形態のロール状シート収納箱１０におけるロール状シート２０の詰め替え方法によれば、側面部５ａを開口させて、ロール状シート２０を収納空間内に装填し、正面側フラップ３１と背面側フラップ４１とを互いに近づく方向に折り曲げるとともに、正面側フラップ３１と背面側フラップ４１の外面側に、天面側フラップ１１と底面側フラップ２１を、天面側フラップ１１が外面側となるように重ねて折り曲げ、天面側フラップ１１の中側係合片１１Ｂを押圧することで、中側係合片１１Ｂを正面側フラップ３１と背面側フラップ４１の内面側に位置させ、正面側フラップ３１と背面側フラップ４１と底面側フラップ２１を、中側係合片１１Ｂと正面側係合片１１Ａ及び背面側係合片１１Ｃとで挟んで係合する。
よって、押し込むだけで係合が成されるので、係合部３０が簡易な構成であり且つ組み立てが容易である。このため、ロール状シート２０の詰め替え作業を容易に行うことができる。
【００４２】
なお、本発明は、上記した実施の形態のものに限るものではなく、その要旨を逸脱しない範囲で適宜変更可能である。
例えば、上記実施形態においては、初期状態で側面部５ａ，５ｂが糊付けされていることとして説明しているが、初期状態から糊付けではなくフラップ同士を係合させることとしても良い。
この場合には、側面部５ａ，５ｂを形成する際に接着剤（糊）を使用しないため、製造時の接着剤の使用を低減することができ、低コストに且つ簡単な設備で製造することができる。
【００４３】
また、上記実施形態においては、ロール状シート収納箱１０にロール状シート２０を収納する場合を例示して説明したが、内部に収納するシート材の種類について特に限定されない。
例えば、四角形状のシート材の束を収納することとしても良い。その場合、一のシート材が折り畳まれ、その折り返し部分に他のシート材が挟み込まれた状態で折り畳まれることによって、複数枚のシート材が連続的に積層された状態で収納することが好ましい。このような積層構造のシート材は、最上層のシート材を取り出すことにより、これに挟み込まれていた次層のシート材の一部が取出口から突出し、シート材の取り出しが容易な、いわゆるポップアップ方式となる。
【００４４】
（変形例）
以下、本実施形態の天面側フラップ１１の変形例について説明する。
本実施形態の天面側フラップ１１は、中側係合片１１Ｂの基端部から先端部までの間に、切込みの間隔が隙間Ｌよりも長い部分が設けられている形状であれば適宜変更可能である。これにより、中側係合片１１Ｂの外面に正面側フラップ３１と背面側フラップ４１が係合されることとなる。
具体的には、例えば、２つの切込み７，７を、外側に凸の円弧形状（図７（ａ）参照。）、内側に凸の円弧形状（図７（ｂ）参照。）、半円形状（図７（ｃ）参照。）、１／４円にした形状（図７（ｄ）参照。）、先端側より基端側が幅広の逆三角形状（図７（ｅ）参照。）、逆三角形状の先端と基端を結ぶ一辺を円弧状とした形状（図７（ｆ）参照。）等とすることができる。
なお、天面側フラップ１１の形状として、上記した例に限定されない。
【００４５】
図８及び図９に、天面側フラップ１１の特に好ましい変形例を示す。
図８に示す天面側フラップ１１は、中側係合片１１Ｂにおいて、第１の幅Ｘ１及び第２の幅Ｘ２を有して構成される。中側係合片１１Ｂは、先端側から基端側にかけて、第２の幅Ｘ２から徐々に幅狭となって第１の幅Ｘ１になる幅変化部７ａを有する。また、中側係合片１１Ｂは、第１の幅Ｘ１になってからは基端側にかけて一定の距離だけ第１の幅Ｘ１を維持して構成される等幅部７ｂを有する。
第１の幅Ｘ１は、中側係合片１１Ｂにおける最短部分の幅である。第１の幅Ｘ１は、切込み片２１Ａの幅Ｘ３と同じ幅であり、隙間Ｌよりも短い。なお、切込み片２１Ａの幅Ｘ３は隙間Ｌよりも短い。
また、第２の幅Ｘ２は、中側係合片１１Ｂにおける最長部分の幅である。第２の幅Ｘ２は、切込み片２１Ａの幅Ｘ３よりも長く、隙間Ｌよりも長い。
【００４６】
図９に示す天面側フラップ１１は、中側係合片１１Ｂにおいて、第１の幅Ｘ１及び第２の幅Ｘ２を有して構成される。中側係合片１１Ｂは、先端側から基端側にかけて、第１の幅Ｘ１から徐々に幅広となって第２の幅Ｘ２になるとともに、第２の幅Ｘ２から徐々に幅狭となって再び第１の幅Ｘ１になる幅変化部７ａを有する。また、中側係合片１１Ｂは、第１の幅Ｘ１になってからは基端側にかけて一定の距離だけ第１の幅Ｘ１を維持して構成される等幅部７ｂを有する。
第１の幅Ｘ１は、中側係合片１１Ｂにおける最短部分の幅である。第１の幅Ｘ１は、切込み片２１Ａの幅Ｘ３と同じ幅であり、隙間Ｌよりも短い。なお、切込み片２１Ａの幅Ｘ３は隙間Ｌよりも短い。
また、第２の幅Ｘ２は、中側係合片１１Ｂにおける最長部分の幅である。第２の幅Ｘ２は、切込み片２１Ａの幅Ｘ３よりも長く、隙間Ｌよりも長い。
【００４７】
以上のように、図８及び図９に示す天側フラップ１１によれば、押圧時（図４（ｃ）参照）に天面側フラップ１１と底面側フラップ２１との間の抵抗を少なくすることができ、よりスムーズに押圧することができる。また、スムーズに押圧できることにより、容易に４つのフラップを係合させることができる。
【符号の説明】
【００４８】
１０            ロール状シート収納箱（家庭用薄葉紙収納箱）
１              天面部
１１，１２      天面側フラップ
１１Ａ，１２Ａ  正面側係合片
１１Ｂ，１２Ｂ  中側係合片
１１Ｃ，１２Ｃ  背面側係合片
７，７          切込み
２              底面部
２１，２２      底面側フラップ
２１Ａ，２２Ａ  切込み片
８，８          切込み
３              正面部
３１，３２      正面側フラップ
４              背面部
４１，４２      背面側フラップ
５（５ａ，５ｂ）側面部
６              取出口（開口部）
６１            切り込み線
２０            ロール状シート（家庭用薄葉紙）
【図１】
0005616998.tif 000002
【図２】
0005616998.tif 000003
【図３】
0005616998.tif 000004
【図４】
0005616998.tif 000005
【図５】
0005616998.tif 000006
【図６】
0005616998.tif 000007
【図７】
0005616998.tif 000008
【図８】
0005616998.tif 000009
【図９】
0005616998.tif 000010